(57)【特許請求の範囲】
【請求項１】
容器本体と、容器口部に嵌着された注出筒部材と、該注出筒部材に螺合させたノズルキャップと、該ノズルキャップを廻動させ上下動させるオーバキャップとを具えた押出容器であって、
容器本体は、口部外周面に複数の位置決めリブを設けた口部と、段部を設けた肩部を具備しており、
注出筒部材は、外周にねじを螺設し、内周に縦溝を刻設し、下端に周端縁に係止環を設けた下板を連設した嵌着筒と、中央に栓体を連設した注出筒とを具備しており、
ノズルキャップは、外周に縦リブを設け、内周にねじを螺設した螺合筒と、上面にノズルを立設したノズル筒とを具備しており、
オーバキャップは、ノズル挿通孔を穿設した頂壁と、下部内周に下端部分を係止突条とした係合溝を刻設した側周壁と、内周に前記縦リブに係合する縦溝を刻設した操作筒とを具備しており、
ノズルキャップのノズル孔を閉じたときに、ノズルの先端がオーバキャップの頂壁面から突出しないようにしたことを特徴とする押出容器。
【発明の詳細な説明】
【０００１】
【発明の属する技術分野】
本発明は、押出容器におけるノズルキャップの締め忘れ防止機構に関する。
【０００２】
【従来の技術】
注出口を開閉するノズルキャップの上にオーバキャップを被せるようにした、例えば図７に示す、クリーム状内容液の押出容器は、従来より知られている。
【０００３】
図７において、Ａａは容器本体、Ｂａは注出筒ａの中央に栓体ｂを連設し、注出筒ａと栓体ｂとの間に注出流路を形成するようにした注出筒部材、Ｃａは頂壁にノズルｃを立設し、上下動可能としたノズルキャップ、Ｄａは注出筒部材に着脱自在として保持されたオーバキャップである。
【０００４】
該押出容器の使用にあたって、オーバキャップＤａを取り外してノズルキャップＣａを露出させ、ノズルキャップＣａを廻動、上昇させることによって注出流路を開放し、内容液を押出すようにしていた。
内容液の使用後には、ノズルキャップＣａを締めて注出流路を閉じ、その上にオーバキャップＤａを被せていた。
【０００５】
【発明が解決しようとする課題】
しかしながら、ノズルキャップを完全に締めきらずにオーバキャップを被せること、或いは締め忘れてオーバキャップを被せるということはよくあることである。
そして、オーバキャップを被せてしまうと、ノズルキャップの開閉状態について外から見ることができないから、もしノズルキャップを締めきらないで、注出流路を開放状態にしておくと、注出流路から内容液が漏れ、押出容器から内容液が流出するという問題が生じることがあった。
【０００６】
本発明は、上記の問題点を解決することを課題とし、オーバキャップを被嵌した状態で、ノズルキャップの開閉状態を確認できるようにした押出容器を提供することを目的とする。
【０００７】
【課題を解決するための手段】
本発明は、上記の課題を解決するため、押出容器として、容器本体と、容器口部に嵌着された注出筒部材と、該注出筒部材に螺合させたノズルキャップと、該ノズルキャップを廻動させ上下動させるオーバキャップとを具えた押出容器であって、容器本体は、口部外周面に複数の位置決めリブを設けた口部と、段部を設けた肩部を具備しており、注出筒部材は、外周にねじを螺設し、内周に縦溝を刻設し、下端に周端縁に係止環を設けた下板を連設した嵌着筒と、中央に栓体を連設した注出筒とを具備しており、ノズルキャップは、外周に縦リブを設け、内周にねじを螺設した螺合筒と、上面にノズルを立設したノズル筒とを具備しており、オーバキャップは、ノズル挿通孔を穿設した頂壁と、下部内周に下端部分を係止突条とした係合溝を刻設した側周壁と、内周に前記縦リブに係合する縦溝を刻設した操作筒とを具備しており、ノズルキャップのノズル孔を閉じたときに、ノズルの先端がオーバキャップの頂壁面から突出しないようにしたことを特徴とする構成を採用する。
【０００８】
【発明の実施の形態】
次に、本発明の第１実施形態について、図面を参照して説明する。
図１において、Ａは容器本体、Ｂは注出筒部材、Ｃはノズルキャップ、Ｄはオーバキャップであり、いずれも合成樹脂によって成形されている。
図１，２に示すように、容器本体Ａは、口部１と肩部２、胴部３、底部４とからなり、口部１外周面には、複数の縦方向に延びる位置決め用のリブ５が突設されており、肩部２には段部６が形成されている。
【０００９】
図３に示すように、注出筒部材Ｂは、口部１外周面に嵌合される嵌着筒７と上壁８、嵌着筒７の下端に連設され外方に広がる環状の下板９とを具えている。  上壁８の内端縁には、上下に延びる注出筒１０が連設され、該注出筒１０の下部外周は口部１内周に嵌合するようになっている。
注出筒１０の中間部には、中央に向かって延びる複数の連結杆１１が連設され、該連結杆１１によって、注出筒１０の中心に位置し先端を円錐端部１２とした栓体１３が支持されている。
注出筒１０内の中央に栓体１３が位置することによって環状の注出流路１４が形成されている。
【００１０】
嵌着筒７の外周には、ねじ山１５が螺設され、内周には、口部１外周に設けた位置決めリブ５に係合する縦溝１６が刻設されている。
下板９の下面には、肩部２の段部６外周に係合する係合リング１７が垂設されており、下板９の周端縁は係止環１８となっている。
【００１１】
図４に示すように、ノズルキャップＣは、螺合筒２０と上壁２１、上壁２１の内周縁から上方に連設されたノズル筒２２とからなっており、ノズル筒２２は、上面にノズル２３を立設した頂壁２４と周壁２５とを具えている。
ノズル２３は、栓体１３の円錐端部１２と係合する円錐形の筒状となっており、中央にはノズル孔２６が穿孔され、ノズル孔２６に栓体１３の円錐端部１２が接合することによって注出流路１４が閉じられ、離れたときには注出流路１４が開かれ、ノズル孔２６より内容液を注出させることができる。
【００１２】
周壁２５の内側には、頂壁２４より案内筒２７が垂設され、周壁２５内周と案内筒２７によって、ノズルキャップＣは、注出筒１０に対して上下摺動自在に案内されるようになっている。
螺合筒２０の内周には、前記嵌着筒７外周のねじ山１５に螺合するねじ２８が螺設されており、外周には等間隔をおいて配設された複数の縦リブ２９が突設されている。
【００１３】
図５に示すように、オーバキャップＤは、頂壁３０と側周壁３１と、側周壁３１の内側で頂壁３０より垂設された操作筒３２とからなっている。
頂壁３０は、その中央部３３が周縁部よりわずかに凹んだ位置に張設され、中央にはノズル挿通孔３４が穿孔されている。
側周壁３１の下部内周には、係止環１８に係合する係合溝３５が刻設され、係合溝３５の下端部分は、係止突条３６となっている。
操作筒３２の内周には、螺合筒２０の外周に突設された縦リブ２９に係合する縦溝３７が刻設されている。
【００１４】
次に、押出容器の組立について説明する。
容器本体Ａにクリーム状の内容液が充填され、まず、注出筒部材Ｂが容器の口部１に嵌着される。
その際、注出筒部材Ｂの嵌着筒７は、口部１に突設された位置決めリブ５に、嵌着筒７内周に刻設された縦溝１６が係合することによって、周方向の位置決めがされ、嵌着筒７を最下端位置まで押込むと、上壁８が口部１上端に圧接され、注出筒１０の下部外周が口部１内周に係合して、嵌着筒７は口部１の周壁に嵌着される。
同時に、係止環１８が肩部２の段部６に係合する。
【００１５】
次いで、ノズルキャップＣの螺合筒２０を注出筒部材Ｂの嵌着筒７に螺合すると、最下端位置には、ノズルキャップＣの上壁２１が注出筒部材Ｂの上壁８に圧接するとともに、ノズル筒２２の頂壁２４が注出筒１０の上端に圧接して定位置に締着される。
同時にノズル２３が栓体１３の先端の円錐端部１２に衝接して、ノズル孔２６が閉鎖される。
【００１６】
次いで、オーバキャップＤを、その操作筒３２の縦溝３７をノズルキャップＣの螺合筒２０の縦リブ２９に合わせて押し込み、側周壁３１の係合溝３５を係止環１８に係合させる。
かくして、内容液を充填した押出容器が組み立てられ、包装されて商品として函詰め搬出される。
【００１７】
次に、押出容器の使用態様と作用効果について説明する。
押出容器の使用にあたって、オーバキャップＤを反時計方向に廻動させると、操作筒３２の縦溝３７と螺合筒２０の縦リブ２９の係合によってノズルキャップＣの螺合筒２０が廻動して上昇し、それとともにノズル２３が上昇して栓体１３の先端から離れ、ノズル孔２６を開放する。
次いで、容器胴部３を押圧すると、ノズル孔２６より内容物を注出させることができる。
【００１８】
使用後にオーバキャップＤを時計方向に廻動させると、ノズルキャップＣが廻動、下降し、それとともにノズル２３が下降して栓体１３に接合することによってノズル孔２６を閉じることができる。
【００１９】
次いで、押出容器を倒立させ、台板上に載置して保管する。
その際、ノズルキャップＣが完全に閉められたか否かを確認することができる。
図６に示すように、ノズルキャップＣが完全に締められず、ノズル孔２６が開放されているときには、ノズル２３の先端がオーバキャップＤの頂壁３０周縁によって形成される平面から突出し、容器本体Ａが傾斜するので、注出流路１４の開閉の有無を確認することができる。
【００２０】
【発明の効果】
本発明は、上記のように構成されているから、次の効果を奏する。
使用後に、押出容器を台板上に倒立させるようにしているので、ノズルを締めきらない場合には、倒立させた押出容器が傾斜し、ノズル孔を完全に締めきったか否かを確認することができる。
【図面の簡単な説明】
【図１】本発明押出容器の断面正面図である。
【図２】容器本体の口部の説明図で、（ａ）は上面図、（ｂ）は一部断面正面図である。
【図３】注出筒部材の説明図で、（ａ）は上面図、（ｂ）は一部断面正面図、（ｃ）は底面図である。
【図４】ノズルキャップの説明図で、（ａ）は上面図、（ｂ）は一部断面正面図、（ｃ）は底面図である。
【図５】  オーバキャップの説明図で、（ａ）は一部断面正面図、（ｂ）は底面図である。
【図６】  倒立状態においた押出容器の説明図である。
【図７】  従来例容器の説明図である。
【符号の説明】
Ａ，Ａａ        容器本体
Ｂ，Ｂａ        注出筒部材
Ｃ，Ｃａ        ノズルキャップ
Ｄ，Ｄａ        オーバキャップ
１              口部
２              肩部
３              胴部
４              底部
５              位置決めリブ
７              嵌着筒
８              上壁
９              下板
１０            注出筒
１１            連結杆
１２            円錐端部
１３            栓体
１４            注出流路
１５            ねじ山
１６            縦溝
１８            係止環
２０            螺合筒
２１            上壁
２２            ノズル筒
２３            ノズル
２４            頂壁
２６            ノズル孔
２８            ねじ
２９            縦リブ
３０            頂壁
３１            側周壁
３２            操作筒
３３            中央部
３４            ノズル挿通孔
３５            係合溝
３７            縦溝
【図１】
0004467724.tif 000002
【図２】
0004467724.tif 000003
【図３】
0004467724.tif 000004
【図４】
0004467724.tif 000005
【図５】
0004467724.tif 000006
【図６】
0004467724.tif 000007
【図７】
0004467724.tif 000008